(57)【要約】【課題】簡易な構造で安価に製造でき、操作が容易で、粒度調整や地盤高さ等の回復できる干潟改質装置を提供すること。【解決手段】干潟上を走行する左右一対の走行部１と、走行部１間に差し渡される、側面視が前方下り傾斜部を有する緩やかな凸形状を呈する排土板２と、排土板２と干潟面６との間の空間７、又は排土板２の上面に改質材料Ｙを供給する改質材料供給配管３、を備え、排土板２は、前方下り傾斜部の先端部分２１が干潟の改質深度に達するように固定される干潟改質装置１０。【選択図】図１
2007239259.tif 000002
【特許請求の範囲】
【請求項１】
干潟上を走行する左右一対の走行部と、
該走行部間に差し渡される、前方下り傾斜部を有する排土板と、
該排土板と干潟面との間の空間、又は該排土板の上面に改質材料を供給する改質材料供給配管と、
を備え、該排土板は、前方下り傾斜部の先端部分が干潟の改質深度に達するように固定されることを特徴とする干潟改質装置。
【請求項２】
干潟上を走行する左右一対の走行部と、
該走行部間に差し渡される、後方下り傾斜部を有する整地板と、
該整地板の後方側先端より前方に位置する、覆土材料を撒き出す覆土材料供給配管と、
を備え、該整地板は、後方下り傾斜部の先端と干潟面との距離が覆土厚となるように固定されることを特徴とする干潟改質装置。
【請求項３】
前記走行部は、干潟上を滑走する底板を有する箱状物であることを特徴とする請求項１又は２記載の干潟改質装置。
【請求項４】
前記箱状物は、中が空洞であり、鉛直方向に延びる仕切り板により前後に区分された複数の室を備えることを特徴とする請求項１〜３のいずれか１項に記載の干潟改質装置。
【請求項５】
前記排土板は、前記走行部に、取り付け角度が調整自在に取り付けられていることを特徴とする請求項１記載の干潟改質装置。
【請求項６】
前記整地板は、前記走行部に、取り付け角度が調整自在に取り付けられていることを特徴とする請求項２記載の干潟改質装置。
【請求項７】
前記改質材料供給配管は、該排土板と干潟面との間の空間に改質材料を供給する第１供給口と、該排土板の上面に改質材料を供給する第２供給口とを有し、切り替え操作により、第１供給口又は第２供給口のいずれかの供給口から改質材料を供給するものであることを特徴とする請求項１記載の干潟改質装置。
【請求項８】
牽引手段で牽引されることを特徴とする請求項１〜７のいずれか１項記載の干潟改質装置。
【請求項９】
左右一対の走行部間に差し渡される、前方下り傾斜部を有する排土板を、該先端部分が干潟の改質深度に達するように固定し、牽引手段により該走行部を走行させ、該排土板と干潟面との間の空間に改質材料を吐出させて、掘削溝に改質材料を撒き出し、該排土板に沿って押し上げられた現地土を、該排土板の後方から排出して撒き出された改質材料に被せて２層の改質層を形成することを特徴とする干潟の改質方法。
【請求項１０】
左右一対の走行部間に差し渡される、前方下り傾斜部を有する排土板を、該先端部分が干潟の改質深度に達するように固定し、牽引手段により該走行部を走行させ、該排土板に沿って押し上げられた現地土に改質材料を散布し、該現地土と該改質材料を混合し、該混合土を、該排土板の後方から排出して掘削溝に敷設することを特徴とする干潟の改質方法。
【請求項１１】
左右一対の走行部間に差し渡される、後方下り傾斜部を有する整地板を、該後方下り傾斜部の先端と干潟面との距離が覆土厚となるように固定し、牽引手段により該走行部を走行させ、該整地板の後方側の先端より前方側の干潟面に覆土材料を撒き出し、撒き出された覆土材料を該整地板で薄層に整地することを特徴とする干潟の改質方法。
【発明の詳細な説明】
【技術分野】
【０００１】
本発明は、海水浄化機能があり、底生生物の生息に適した人工干潟又は天然干潟の改質装置及び改質方法に関するものである。
【背景技術】
【０００２】
潮が引いたときに現れる遠浅の海岸部分を干潟と言い、もともとは埋め立て等で遠浅に形成されていない海岸を、自然環境の保全、再生あるいは創生を目的として、遠浅の干潟に作り替えた人工の干潟と、天然の地形であって、環境の変化により長い年月をかけて形成された天然の干潟がある。
【０００３】
人工干潟を造成しても潮流等の影響で細粒分が流出し、既存生物の生態に適さなくなったり、天然干潟でも近接構造物等の影響で潮流等が変化し、細粒分が流出したりすることがある。また、逆に細粒分の流入により粗粒分の比率が低下して生態系に影響を与えることがある。このような場合、一般的に粗粒分と細粒分について粒度調整した土砂を既存干潟の上に厚く撒き出すことが行われている。
【０００４】
特開２０００−３１４１１６号公報には、砂、細粒分及び肥料等を生物の生息条件に最適な底質となるよう混合装置で混合し、散布装置によって干潟形成海域に散布する干潟被覆砂の製造方法が開示されている。この方法によれば、干潟被覆砂を所望の生物の生息条件に適したものとすることができる。また、特開平６−８８３５４号公報には、エンジン部、運転室、走行部キャタピラーと架台によって上下に分離された上部縦通材と、下部縦通材の端に竪形エレベーターを取り付け、排土板ですくい上げた砂、砂利を運びあげて、頭部シュートを通して横送形コンベヤに落とし、後部シュートを通し、振動篩で砂と砂利に篩い分け砂はローラーの後に、砂利はローラーの前に落とし、ローラーで転圧し砂利層を形成する海用耕運機が開示されている。この海用耕運機によれば、貝類の養殖に好条件の砂地を造成することができる。
【特許文献１】特開２０００−３１４１１６号公報（請求項１）
【特許文献２】特開平６−８８３５４号公報（請求項１、図１）
【発明の開示】
【発明が解決しようとする課題】
【０００５】
しかしながら、特開２０００−３１４１１６号公報の方法では混合装置と散布装置の両方が必要となる。また、被覆砂を散布するため、生物が窒息死したり、散布した土砂の重量により沈下が発生したりするなどの問題がある。また、生物の生息条件に適した砂質とするには、その干潟の生態系に合うように調製する必要があり、調製コストを上昇させるという問題がある。また、特開平６−８８３５４号公報の海用耕運機は、竪形エレベーター、横送形コンベヤ及び振動篩が必要であり、複雑で高価な耕運機となっている。また、貝類の養殖に好条件の砂地を造成することができても、干潟の粒度調整や天端高さの調整など干潟の土質の回復に係るものではない。また、干潟のメンテナンスにおいて、干潟に生息する底生生物の生息環境を改善するため、厚さが１５ｃｍ程度あるいはそれ以下の覆土を広大な干潟に効率よく撒き出す工法については未だ存在しないのが現状である。
【０００６】
従って、本発明の目的は、簡易な構造で安価に製造でき、操作が容易で、粒度調整や地盤高さ等の回復できる干潟改質装置を提供し、また、生息する底生生物を生かしたまま、粒度調整や地盤高さ調整ができる干潟改質方法を提供することにある。また、本発明の他の目的は、広大な干潟に薄い覆土を効率よく撒き出す干潟改質装置又は干潟改質方法を提供することにある。
【課題を解決するための手段】
【０００７】
かかる実情において、本発明者らは鋭意検討を行った結果、前方下り傾斜部を有する排土板を備える特定構造の干潟改質装置を用い、排土板の前方下り傾斜部を干潟の改質深度に達するようにして走行させ、排土板と干潟面との間の空間、又は排土板の上面に改質材料を供給すれば、例えば干潟の底生生物生息層の下方に、細粒分などの改質材料を敷設した２層の改質層が形成できたり、干潟の現地土と改質材料が混合されて粒度調整された改質層が形成できること、また、改質材料として土砂を用いれば、干潟の沈下対策になる等を見出し、本発明を完成するに至った。
【０００８】
すなわち、本発明は、干潟上を走行する左右一対の走行部と、該走行部間に差し渡される、前方下り傾斜部を有する排土板と、該排土板と干潟面との間の空間、又は該排土板の上面に改質材料を供給する改質材料供給配管と、を備え、該排土板は、前方下り傾斜部の先端部分が干潟の改質深度に達するように固定される干潟改質装置を提供するものである。
【０００９】
また、本発明は、干潟上を走行する左右一対の走行部と、該走行部間に差し渡される、後方下り傾斜部を有する整地板と、該整地板の後方側先端より前方に位置する、覆土材料を撒き出す覆土材料供給配管と、を備え、該整地板は、後方下り傾斜部の先端と干潟面との距離が覆土厚となるように固定される干潟改質装置を提供するものである。
【００１０】
また、本発明は、左右一対の走行部間に差し渡される、前方下り傾斜部を有する排土板を、該先端部分が干潟の改質深度に達するように固定し、牽引手段により該走行部を走行させ、該排土板と干潟面との間の空間に改質材料を吐出させて、掘削溝に改質材料を撒き出し、該排土板に沿って押し上げられた現地土を、該排土板の後方から排出して撒き出された改質材料に被せて２層の改質層を形成する干潟の改質方法を提供するものである。
【００１１】
また、本発明は、左右一対の走行部間に差し渡される、前方下り傾斜部を有する排土板を、該先端部分が干潟の改質深度に達するように固定し、牽引手段により該走行部を走行させ、該排土板に沿って押し上げられた現地土に改質材料を散布し、該現地土と該改質材料を混合し、該混合土を、該排土板の後方から排出して掘削溝に敷設する干潟の改質方法を提供するものである。
【００１２】
また、本発明は、左右一対の走行部間に差し渡される、後方下り傾斜部を有する整地板を、該後方下り傾斜部の先端と干潟面との距離が覆土厚となるように固定し、牽引手段により該走行部を走行させ、該整地板の後方側の先端より前方側の干潟面に覆土材料を撒き出し、撒き出された覆土材料を該整地板で薄層に整地する干潟の改質方法を提供するものである。
【発明の効果】
【００１３】
本発明の干潟改質装置又は干潟改質方法によれば、従来のような覆土による方法ではなく、底生生物生息層を持ち上げる方法を採ることができ、底生生物を窒息させることなく、生きたまま干潟を改質できる。また、予め改質が必要な干潟の土質調査を行い、不足する粒度成分のみを現地土と混合して散布するため、粒度調整用の敷地が不要となると共に、底生生物が生息する深度のみ改質でき、粒度調整費用を抑制することができる。また、整地板を使用した薄層撒き出しによれば、わずかな沈下に対し生態系に影響を与えない程度の薄層の覆土を行うことができる。また、干潟が沈下により低くなった場合、底生生物生息層を持ち上げて、その下に土砂を供給して干潟天端を高くできるため、底生生物生息層を維持したままで、沈下した干潟の地盤高さを回復させることができる。
【発明を実施するための最良の形態】
【００１４】
次に、本発明の第１の実施の形態における干潟改質装置を図１〜図３を参照して説明する。図１は本例の干潟改質装置の概略斜視図、図２は干潟改質装置の使用方法を説明する簡略図、図３は干潟改質装置の他の使用方法を説明する簡略図である。なお、図２及び図３は、側面から見た断面図であるが、排土板と改質材料供給管との関係を明確にするため、走行部の記載を省略してある。なお、本明細書中、「前」は牽引する側を、「後」はその逆方向を、左右方向は、前から装置を見た方向をそれぞれ言う。
【００１５】
図１において、干潟改質装置１０は、左右一対の走行部１と、走行部１間に差し渡される排土板２と、排土板２と干潟面６との間の空間７又は排土板２の上面に改質材料を供給する改質材料供給配管３と、を備えるものである。
【００１６】
走行部１は、所定の長さと幅を有する板状の底板１４と、前部の高さが高く、後方にかけて緩やかに低くなる半紡錘形状の横置き形状の側板１５と、左右一対の側板１５で形成される上方の開口を塞ぐ天板１６からなる箱状物である。干潟改質装置１０は、走行部１の底板１４を板状物とすることにより、干潟面６を走行し易いようにしている。また、半紡錘形状の横置き形状とすることにより、前方の浮力を大きくすることができる。すなわち、走行部１の前方が干潟に沈みこんだ場合等、大きな浮力を受けて走行姿勢を安定化することができる。        
【００１７】
走行部１は、中が空洞であり、鉛直方向に延びる仕切り板により前後に区分された複数の室を備える。このように、走行部１の中を空洞にして複数の室を設ければ、走行部の重量及び重心を適宜変更できる。例えば、走行部１に対して前傾する方向に力がかかる場合、前方を軽くし、後方を重くすることにより、走行部１に作用する力を調整することができる。具体的には、１枚以上の仕切り板により前後の２つ以上の室を設け、前方側の室を空気室とし、後方側の室を水が充填された室とすることにより、後方側が重い走行部を形成することができる。また、走行部１の後部にはウエイトを載置する高さが低い水平面１１が形成されている。これにより適宜の重量のウエイト（不図示）を載置して、後方を重くすることができる。また、排土板２より先の走行部１の長さを十分長くとることにより、排土板２の掘削抵抗により、走行部１が前傾する方向に回転することを抑制することができる。
【００１８】
走行部１の材質としては、特に制限されないが、強度が高く、軽量である材質が好ましく、例えばグラスファイバー等が使用できる。また、走行部１の前部には、牽引手段に連結される連結部１２が形成されている。これにより、牽引手段により干潟面上の走行が可能となる。走行部１が走行する干潟面の状態としては、潮が引いた砂面であっても、潮が少し満ちた状態のものであってもよい。走行部１は、所定の寸法離間させた左右一対のものを、複数の連結棒（不図示）で連結して固定される。
【００１９】
干潟上を走行する走行部１は、上記形態に限定されず、キャタピラー車などの自走式であってもよい。自走式は構造が複雑で高価な装置となるため、ウインチ、ブルドーザなどの公知の牽引手段で牽引される非自走式のものが好ましい。また、走行部の干潟上を滑走する部分は、板状の他、スキー板のような橇板を履かせたものであってもよい。また、走行部１の外観形状としては、特に制限されず、種々の外観形状のものが使用可能である。
【００２０】
左右一対の走行部１間には、前方下り傾斜部を有する排土板２、好ましくは前方下り傾斜部を有すると共に緩やかな凸形状を呈する排土板２が付設される。走行部１と排土板２との固定方向としては、特に制限されず、走行部１の内側の側板１５と排土板２の側面（側端面）とが複数箇所で螺子止めされるものなどが挙げられる。また、排土板２は、走行部１に取り付け角度が調整自在に取り付けられていることが、改質深度を現場で容易に調整できる点で好ましい。排土板２を、走行部１に取り付け角度調整自在に取り付ける方法としては、走行部１の側板１５に種々の取り付け角度に対向するように、多数の螺子孔を形成しておき、その都度該当する螺子にボルトを締め付け固定する方法など公知の方法が適用できる。また、取り付け角度の調整だけで深度変更が困難な場合、排土板を交換することもできる。
【００２１】
排土板２は、側面視が前方下り傾斜部を有するため、あるいは更に緩やかな凸形状を呈するものであるため、干潟の所定深度ｈ１の現地土を掘削すると共に、掘削された現地土を排土板２に沿って押し上げつつ、排土板２の後方へ自然に排出することができる。従って、排土板２は、上記形状であれば特に制限されないが、側面視が「へ」字形状であって、前部の前方下り傾斜部２１が長く、後部の後方下り傾斜部２２が前方下り傾斜部より短いものが、排土板２の機能を効果的に発揮させることが出来る。排土板２の前方下り傾斜部と水平面とで形成される角度αは、干潟の土質、改質深度、干潟改質装置の大きさや強度などによって、適宜決定される。
【００２２】
排土板２の材質及び厚みとしては、特に制限されず、適宜決定される。また、排土板２の裏面には、強度を付与するリブが適宜配設されていてもよい。排土板２の干潟の改質深度に達する先端部分には、左右幅方向に沿って、供給水を噴射する噴射口を備えるパイプを内蔵又は付設してもよい。これにより、掘削の際、現地土をほぐすと共に、上方に舞い上がる底生生物に大きな力が作用しないようにすることができる。また、排土板２の上面の両側縁には、掘削した現地土が逃げないように、こぼれ防止板を付設することもできる。
【００２３】
改質材料供給配管３は、走行部１の天板１６を貫通して下方へ延び下端から排土板２の方へ９０度屈曲し、供給口（第１供給口）が排土板２と干潟面６との間の空間７に位置するような第１分岐管３２と、途中から排土板２側へ枝分かれし、供給（第２供給口）が排土板２の上面に位置するような第２分岐管３１とを有する。なお、図中、改質材料供給配管３は、不図示の切り替え弁の操作により、第１供給口と第２供給口のいずれかの供給口から改質材料Ｙを供給するようになっている。また、改質材料供給配管３は、陸上の改質材料供給手段又は海上の台船上に設置された改質材料供給手段にホースなどにより接続されている。第１供給口と第２供給口を、排土板２の後方端より前方に位置させることにより、掘削溝に２層の改質層を形成したり、改質材料と現地土の混合物を撒き出したりすることができる。
【００２４】
改質材料供給配管３は、上記形態に限定されず、例えば第１供給口と第２供給口までの配管の設置経路は種々の経路を採ることができる。また、改質材料供給配管３は、排土板２と干潟面６との間の空間７に改質材料を供給する配管の単独配管、排土板２の上面に改質材料を供給する配管の単独配管又はそれら単独配管をそれぞれ備えた組み合わせ配管であってもよい。また、第１分岐管３２や第２分岐管３１は複数個あってもよく、また、これらの分岐管から更に分岐された配管を有していてもよい。また、供給口部には、閉口した管の先端壁に溝状の散布口を設け、改質材料を均等に散布するようにしてもよい。
【００２５】
改質材料は、干潟の改質目的により、適宜決定されるものであり、シルトや粘性質である細粒分を主成分とするもの、砂質分を主成分とするもの、あるいは底生生物の生息に好適な粒度調整された土砂などが挙げられる。改質材料供給配管３へ供給される改質材料としては、土砂形状あるいは海水と土砂が混合されたスラリー形状のいずれであってもよいが、スラリー形状を圧送する方法が安定した供給ができる点で好ましい。
【００２６】
干潟改質装置１０には、必要に応じて、汚濁防止カバーを走行部１の上部又は上方に付設することができる。これにより、現地土の掘削時、あるいは改質材料の散布時など、周辺への汚濁被害を防止できる。また、干潟改質装置１０に傾斜計を取り付けてもよい。これにより、干潟改質装置の姿勢を監視することができ、この情報を基に排土板の取り付け角度を適正なものとすることができる。また、干潟改質装置１０にＧＰＳを搭載してもよい。これにより、位置情報を把握することができる。
【００２７】
次に、本発明の第１の実施の形態における干潟改質方法を図２を参照して説明する。本例の干潟改質方法は図１の干潟改質装置を使用して行う。第１の実施の形態における干潟改質方法は、干潟に不足する材料、例えば細粒分を底生生物生息層の下方に形成して改質層を２層構造とするものである。本例の干潟改質方法を実施する前に、施行区域の粒度分布を調査し、供給する改質材料成分と量を決定しておき、区域分けする。また、改質材料を供給するプラントを設置し、上記調査した区域に適合した改質材料を供給できるようにする。干潟改質装置１０が他の改質区域に移動した際にも連続的に適正な改質材料が供給できることが好ましい。干潟改質装置１０は、排土板２の前部の先端を底生生物生息層の例えば５０ｃｍの深度ｈ１となるように調整し走行部１に固定する。また、改質材料供給配管３に一端がプラントに接続されたホースなどの供給管を接続する。改質材料供給配管３は、バルブ調整により、第１供給口３２１を開とし、第２供給部３１１を閉とする。このように調整された干潟改質装置１０を、牽引手段により前進させ、排土板２と干潟面６との間の空間７に細粒分（改質材料）を吐出させて、掘削溝に細粒分を撒き出し、排土板２の前方傾斜部２１に沿って押し上げられた現地土を、排土板２の後方傾斜部２２の後方から排出して撒き出された細粒分の層３０に被せて２層の改質層を形成する。この方法によれば、底生生物生息層４０を撹乱することなく、実質的に持ち上げることになり、底生生物を窒息させることなく、生きたまま干潟２０を改質することができる。すなわち、２層構造の下層３０の細粒分は、潮の干満により、底生生物生息層に細粒分が供給されることになり、干潟の土質が改質される。なお、第１の実施の形態の干潟改質方法において、改質材料としては、上記の細粒分に制限されず、干潟が砂質土などの粗粒分を不足としている場合には、粗粒分が使用される。また、第１の実施の形態の干潟改質方法は、上記粒度調整を目的とした改質方法に限定されず、干潟沈下対策として、地盤高さを回復させる目的で行ってもよい。すなわち、干潟沈下対策の場合、２層構造の下層３０の改質材料は、安価の土砂、特には干潟に好適な土砂であればよい。干潟は供用後、圧密沈下による干潟の面積が減少することがあるが、第１の実施の形態における干潟改質方法によれば、現状の生態系を維持したまま、下層３０の厚み分の地盤高さを回復させることができる。すなわち、本発明の干潟の改質方法には、干潟の地盤高さを回復させる方法も含む。
【００２８】
次に、本発明の第２の実施の形態における干潟改質方法を図３を参照して説明する。本例の干潟改質方法は図１の干潟改質装置を使用して行う。第２の実施の形態における干潟改質方法は、例えば干潟に不足する細粒分を現地土と原位置で直接混合して改質層を混合土とするものである。干潟改質装置１０は、排土板２の前部の先端を底生生物生息層の例えば５０ｃｍの深度ｈ１となるように調整し走行部１に固定する。また、改質材料供給配管３は、バルブ調整により、第２供給口３１１を開とし、第１供給部３２１を閉とする。このように調整された干潟改質装置１０を、牽引手段により前進させ、排土板２に沿って押し上げられた現地土に改質材料Ｙを散布し、現地土と改質材料Ｙを排土板２上で移動させながら混合させる。そして、混合土５０を、排土板２の後方傾斜部２２の後方から排出して掘削溝２５に敷設する。この方法によれば、粒度調整用の敷地が不要である。また、底生生物が生息する深度のみ改質するため、粒度調整費用を抑制することができる。
【００２９】
次に、本発明の第２の実施の形態における干潟改質装置を図４及び図５を参照して説明する。図４は本例の干潟改質装置の概略斜視図、図５は干潟改質装置の使用方法を説明する簡略図である。図４及び図５において、図１〜図３と同一構成要素には同一符号を付してその説明を省略し、異なる点について主に説明する。すなわち、第２の実施の形態における干潟改質装置１０ａにおいて、第１の実施の形態における干潟改質装置１０と異なる点は、排土板に代えて整地板とした点及び改質材料供給配管３に代えて、排土板２と干潟面６との間の空間７に覆土を供給する覆土材料供給配管３ａとした点にある。すなわち、干潟改質装置１０ａは、前方下り傾斜部がないか又は短くし、後方下り傾斜部２ａの先端と干潟面６との距離が覆土厚ｈ２となるように走行部１間に整地板２ａを固定し、覆土材料供給配管３ａは、整地板２ａの後方側先端より前方に位置させたものである。
【００３０】
整地板２ａは、側面視が後方下り傾斜部を有し、干潟面６に撒き出された覆土を所定の厚みに整地するものであれば、その形状は特に制限されず、上方に凸のアーチ形状や、直線傾斜状のものなど種々のものが使用できる。整地板２ａの後方下り傾斜部と水平面とで形成される角度は、覆土の土質、厚み、整地板２ａの剛性などによって、適宜決定される。
【００３１】
次に、本発明の第２の実施の形態における干潟改質方法を図５を参照して説明する。本例の干潟改質方法は図４の干潟改質装置を使用して行う。第２の実施の形態における干潟改質方法は、例えば底生生物生息層の富栄養化に伴う底質改善を目的に、干潟面上に例えば１５ｃｍ、あるいはそれ以下の薄層の覆砂を行う方法である。干潟改質装置１０ａは、整地板２ａを後方下り傾斜部２２ａの先端と干潟面６との距離が覆土厚ｈ２となるように固定し、牽引手段により走行部１を走行させ、整地板２ａの後方側の先端より前方側の干潟面６に覆土材料を撒き出し、撒き出された覆土材料を整地板２ａで薄層に整地する。この方法によれば、底生生物を生かしたまま、富栄養化した底質を栄養源とした覆砂が可能となる。また、わずかな沈下に対し生態系に影響を与えない程度の薄層の覆土により、干潟天端を回復させることができる。
【００３２】
本発明の干潟改質装置で使用する排土板又は整地板は、上記形態に限定されず、図６〜図８に示すような排土板と整地板を組み込んだ複合板であってもよい。すなわち、図６の複合板２ｂは、排土板２６の後方端に、整地板２７をボルト２７１で固定したものである。また、複合板２ｂは、整地板２７の取り付け角度を変更することができる。図６中、実線の位置が排土板としての使用であり、二点鎖線の位置が整地板としての使用である。また、図８の複合板２ｃは、排土板２６ａと整地板２７ａをそれぞれ独立して走行部１に取り付けたものである。複合板２ｃにおいて、整地板２７ａは取り付け角度を変更することができる。図８の複合板２ｃは排土を目的とした設置状態であるが、複合板２ｃを整地板として使用するには、図８中の位置から、排土板２６ａの後方側を更に下げ、且つ整地板２７ａの後方端を更に下げればよい。これにより、整地板に好適な形状とすることができる。
【図面の簡単な説明】
【００３３】
【図１】第１の実施の形態例の干潟改質装置の概略斜視図である。
【図２】第１の実施の形態例の干潟改質装置の使用方法を説明する簡略図である。
【図３】第１の実施の形態例の干潟改質装置の他の使用方法を説明する簡略図である。
【図４】第２の実施の形態例の干潟改質装置の概略斜視図である。
【図５】第２の実施の形態例の干潟改質装置の使用方法を説明する簡略図である。
【図６】複合板を説明する図である。
【図７】図６の複合板の一部の拡大斜視図である。
【図８】他の複合板を説明する図である。
【符号の説明】
【００３４】
１      走行部
２      排土板
３      改質材料供給配管
４      牽引手段（ワイヤ）
６      干潟面
７      排土板と干潟面との間の空間
１０、１０ａ      干潟改質装置
１４      底板
１５      側板
１６      天板
２０      干潟
２１      前方下り傾斜部
２２      後方下り傾斜部
３１      第２分岐管
３２      第１分岐管
【図１】
2007239259.tif 000003
【図２】
2007239259.tif 000004
【図３】
2007239259.tif 000005
【図４】
2007239259.tif 000006
【図５】
2007239259.tif 000007
【図６】
2007239259.tif 000008
【図７】
2007239259.tif 000009
【図８】
2007239259.tif 000010